(57)【要約】【課題】  映像の視聴時に画面に対するユーザーの没入度を最大化し、デザインの改善を通じて、ベゼル部分に対するデザインの自由度を高めて、製品力をさらに強化するだけでなく、光学シートによる映像の歪曲を補償して高画質の映像をユーザーに提供する。【解決手段】  本発明はディスプレイ装置およびその制御方法に係り、ディスプレイ装置は、映像信号を処理する映像処理部と；処理された映像信号が映像で表示される再生領域と、映像が表示されない非再生領域を含むディスプレイ部と；ディスプレイ部の非再生領域に対応して設けられる光学シートと；を含み、光学シートは透過される光を拡散させて非再生領域を視覚的に隠すようにする。【選択図】      図７
2014174548.tif 000002
【特許請求の範囲】
【請求項１】
ディスプレイ装置において、
映像信号を処理する映像処理部と；
前記処理された映像信号が映像で表示される再生領域と、前記映像が表示されない非再生領域を含むディスプレイ部と；
前記ディスプレイ部の前記非再生領域に対応して設けられる光学シートと；
を含み、
前記光学シートは透過される光を拡散させて前記非再生領域を視覚的に隠すことを特徴とするディスプレイ装置。
【請求項２】
前記非再生領域は前記再生領域の外側に設けられたブラック
マトリックス領域と前記ディスプレイ部のフレームに位置するベゼル領域の中で少なくとも一つを含むことを特徴とする請求項１に記載のディスプレイ装置。
【請求項３】
前記光学シートは前記再生領域または前記ブラックマトリックス領域から前記光学シートに透過された光を前記非再生領域の正面に出力することを特徴とする請求項２に記載のディスプレイ装置。
【請求項４】
前記映像処理部は前記光学シートによる映像歪曲を補償する映像補償部を含むことを特徴とする請求項１乃至請求項３の中の何れか一項に記載のディスプレイ装置。
【請求項５】
前記映像歪曲の特性を分析し、前記分析結果に基づいて前記映像歪曲を補償するように前記映像補償部を制御する制御部をさらに含むことを特徴とする請求項４に記載のディスプレイ装置。
【請求項６】
前記制御部は前記光学シートによる映像の拡張、輝度低下、画質低下の中で少なくとも一つを分析する光学分析部を含むことを特徴とする請求項５に記載のディスプレイ装置。
【請求項７】
前記光学シートによる映像歪曲の特性を測定して生成された情報テーブルが保存された保存部をさらに含み、
前記光学分析部は前記情報テーブルの逆変換を利用して前記映像歪曲を補償するように前記映像補償部を制御することを特徴とする請求項６に記載のディスプレイ装置。
【請求項８】
前記光学分析部は輝度補償係数と、画質補償係数の中で少なくとも一つをさらに利用して前記映像歪曲を補償するように前記映像補償部を制御することを特徴とする請求項７に記載のディスプレイ装置。
【請求項９】
前記映像補償部は前記映像信号の鮮明度の改善、輝度調節およびコントラスト調節の中で少なくとも一つを行うことを特徴とする請求項８に記載のディスプレイ装置。
【請求項１０】
前記光学シートの内部には前記透過される光をガイドするパターンが形成され、
前記パターンは前記光が入射される領域で凝集度が低く、前記ディスプレイ部のフレームで凝集度が高く形成されることを特徴とする請求項１乃至請求項３の中の何れか一項に記載のディスプレイ装置。
【請求項１１】
前記光学シートは断面が三角形のプリズム シートであることを特徴とする請求項１乃至請求項３の中の何れか一項に記載のディスプレイ装置。
【請求項１２】
映像が表示される再生領域と、前記映像が表示されない非再生領域を含むディスプレイ部を含むディスプレイ装置の制御方法において、
映像信号を処理する段階と；
前記処理された映像信号を映像で表示する段階と；
を含み、
前記表示する段階は、前記ディスプレイ部の前記非再生領域に対応して設けられ、透過される光を拡散させる光学シートによって前記非再生領域を視覚的に隠すことを特徴とするディスプレイ装置の制御方法。
【請求項１３】
前記非再生領域は前記再生領域の外側に設けられたブラック
マトリックス領域と、前記ディスプレイ部のフレームに位置するベゼル領域の中で少なくとも一つを含むことを特徴とする請求項１２に記載のディスプレイ装置の制御方法。
【請求項１４】
前記処理する段階は、前記光学シートによる映像歪曲特性を分析する段階と前記映像歪曲を補償する段階を含むことを特徴とする請求項１２または請求項１３に記載のディスプレイ装置の制御方法。
【請求項１５】
前記光学シートによる映像歪曲の特性を測定して生成された情報テーブルを保存する段階と；
前記情報テーブルの逆変換を利用して前記映像歪曲を補償する段階をさらに含むことを特徴とする請求項１２または請求項１３に記載のディスプレイ装置の制御方法。
【発明の詳細な説明】
【技術分野】
【０００１】
本発明は、ディスプレイ装置およびその制御方法に係り、さらに詳しくは映像を表示するディスプレイパネルを備えるディスプレイ装置およびその制御方法に関する。
【背景技術】
【０００２】
一般的に、ＴＶのようなディスプレイ装置は、外部の多様な映像供給源から送信されたりまたは自体的に保存されている映像信号／映像データを処理して、ディスプレイパネル上に映像で表示する。一般のユーザーに提供されるディスプレイ装置の具現例示は、ＴＶ、モニターなどがあり、例えばＴＶで具現されたディスプレイ装置は外部から受信される放送信号をデコーディング、スケーリングなどのような多様な映像処理プロセスを通じて、ユーザーの欲する放送チャンネルの映像で提供する。
ディスプレイ装置は、パネル駆動のための回路、固定のための機構などのための空間が必要で、このような空間は映像が表示される再生領域の外側に設けられたブラックマトリックス（ＢＭ：Ｂｌａｃｋ  Ｍａｔｒｉｘ）領域と、機構的なベゼル（Ｂｅｚｅｌ）領域を含むことができる。最近、ディスプレイ装置の薄型化及び美麗なデザインを選好する傾向によって、ブラックマトリックス領域とベゼル領域はディスプレイ画面の外側フレーム（縁部）に設けられることが一般的である。
【０００３】
しかし、このようなブラックマトリックス領域またはベゼル領域の存在によって、映像が表示される時にユーザーの没入度が落ちて、製品のデザイン改善の限界点として作用することができる。特に、複数のディスプレイ装置を利用するデジタル看板（Ｄｉｇｉｔａｌ  Ｓｉｇｎａｇｅ）や、ＬＦＤ（Ｌａｒｇｅ  Ｆｏｒｍａｔ  Ｄｉｓｐｌａｙ）では、連続される映像が断絶されて表示される不便を招く恐れがある。最近は、ベゼルの幅を狭く設計したり、正面でベゼルの部分が最大限に見えないようにデザインすることもできるが、ブラックマトリックス領域が依然として存在するので視覚的な不便を完全に解消するには限界がある。
【発明の概要】
【発明が解決しようとする課題】
【０００４】
従って、本発明は、映像の視聴時に画面に対するユーザーの没入度を最大化し、デザインの改善を通じて、ベゼル部分に対するデザインの自由度を高めて、製品力をさらに強化するだけでなく、光学シートによる映像の歪曲を補償して高画質の映像をユーザーに提供することを目的とする。
【課題を解決するための手段】
【０００５】
本発明の一実施形態によるディスプレイ装置は、映像信号を処理する映像処理部と；処理された映像信号が映像で表示される再生領域と、映像が表示されない非再生領域を含むディスプレイ部と；ディスプレイ部の非再生領域に対応して設けられる光学シートと；を含み、光学シートは透過される光を拡散させて非再生領域を視覚的に隠すようにする。
【０００６】
非再生領域は再生領域の外側に設けられたブラックマトリックス領域を含むことができる。非再生領域はディスプレイ部のフレームに位置するベゼル領域をさらに含むことができる。
【０００７】
光学シートは再生領域から光学シートに透過された光を非再生領域の正面に出力することができる。光学シートはブラックマトリックス領域から光学シートに透過された光を非再生領域の正面に出力することができる。
【０００８】
映像処理部は光学シートによる映像歪曲を補償する映像補償部を含むことができる。
【０００９】
映像歪曲の特性を分析し、分析の結果に基づいて映像歪曲を補償するように映像補償部を制御する制御部をさらに含むことができる。制御部は光学シートによる映像の拡張、輝度低下、画質低下の中で少なくとも一つを分析する光学分析部を含むことができる。
【００１０】
光学シートによる映像歪曲の特性を測定して生成された情報テーブルが保存された保存部をさらに含み、光学分析部は情報テーブルの逆変換を利用して映像歪曲を補償するように映像補償部を制御することができる。
【００１１】
光学分析部は輝度補償係数と、画質補償係数の中で少なくとも一つをさらに利用して、映像歪曲を補償するように映像補償部を制御することができる。
【００１２】
映像補償部は映像信号の鮮明度の改善、輝度調節およびコントラスト調節の中で少なくとも一つを行うことができる。
【００１３】
映像歪曲特性または光学シートに透過される光の特性を測定し、測定結果に基づいて映像補償処理を行うように映像処理部を制御する制御部をさらに含むことができる。
【００１４】
光学シートの内部には透過される光をガイドするパターンが形成されることができる。パターンは光が入射される領域で凝集度が低く、ディスプレイ部のフレームで凝集度が高く形成されることができる。
【００１５】
光学シートはディスプレイ部の正面の全部または一部に付着されることができる。光学シートは断面が三角形のプリズム
シートであることができる。
【００１６】
一方、本発明の一実施形態による映像が表示される再生領域と、映像が表示されない非再生領域を含むディスプレイ部を含むディスプレイ装置の制御方法は、映像信号を処理する段階と；処理された映像信号を映像で表示する段階と；を含み、表示する段階は、ディスプレイ部の非再生領域に対応して設けられ、透過される光を拡散させる光学シートによって非再生領域を視覚的に隠すようにする。
【００１７】
非再生領域は再生領域の外側に設けられたブラックマトリックス領域を含むことができる。非再生領域はディスプレイ部のフレームに位置するベゼル領域をさらに含むことができる。
【００１８】
光学シートは再生領域から光学シートに透過された光を非再生領域の正面に出力することができる。光学シートはブラックマトリックス領域から光学シートに透過された光を非再生領域の正面に出力することができる。
【００１９】
処理する段階は、光学シートによる映像歪曲を補償する段階を含むことができる。
【００２０】
補償する段階は、映像歪曲を分析する段階と；分析結果に基づいて映像信号を補償する段階と；を含むことができる。
【００２１】
分析する段階は、光学シートによる映像の拡張、輝度低下、画質低下の中で少なくとも一つを分析することができる。
【００２２】
光学シートによる映像歪曲の特性を測定して生成された情報テーブルを保存する段階をさらに含み、補償する段階は情報テーブルの逆変換を利用して映像歪曲を補償する段階を含むことができる。
【００２３】
補償する段階は、輝度補償係数と、画質補償係数の中で少なくとも一つを利用して映像歪曲を補償する段階をさらに含むことができる。補償する段階は、映像信号の鮮明度の改善、輝度調節およびコントラスト調節の中で少なくとも一つを行うことができる。
【００２４】
光学シートの内部には透過される光をガイドするパターンが形成されることができる。
【００２５】
パターンは光が入射される領域で凝集度が低く、ディスプレイ部のフレームで凝集度が高く形成されることができる。
【００２６】
光学シートはディスプレイ部の正面の全部または一部に付着されることができる。光学シートは断面が三角形のプリズム
シートであることができる。
【発明の効果】
【００２７】
前述のように、本発明によれば、映像の視聴時に画面に対するユーザーの没入度を最大化し、デザインの改善を通じて、ベゼル部分に対するデザインの自由度を高めて、製品力をさらに強化するだけでなく、光学シートによる映像の歪曲を補償して高画質の映像をユーザーに提供することができる。
【図面の簡単な説明】
【００２８】
【図１】本発明の実施形態によるディスプレイ装置の構成を示すブロック図である。
【図２】図１のディスプレイ部の構成を示すブロック図である。
【図３】一般的なディスプレイ装置の非再生領域の構造を説明するための図である。
【図４】一般的なディスプレイ装置の非再生領域の構造を説明するための図である。
【図５】本発明の一実施形態によって光学シートが含まれたディスプレイ装置を説明するための図である。
【図６】本発明の一実施形態によって光学シートが含まれたディスプレイ装置を説明するための図である。
【図７】光学シートによって光が拡散する原理を説明するための図である。
【図８】本発明の光学シートがプリズムシートで具現された例を示す図面である。
【図９】他の実施形態のディスプレイ部の構成を示すブロック図である。
【図１０】本発明の一実施形態によって光学シートにパターンが形成された例を示す図面である。
【図１１】本発明の一実施形態による映像補償過程を説明するための図である。
【図１２】本発明の一実施形態による映像補償過程を説明するための図である。
【図１３】本発明の一実施形態による映像補償過程を説明するための図である。
【図１４】本発明の一実施形態による映像補償過程を説明するための図である。
【図１５】本発明の一実施形態による映像補償過程を説明するための図である。
【図１６】本発明の一実施形態によってディスプレイ部に表示される映像の補償処理前後の映像を各々示す図面である。
【図１７】本発明の実施形態によるディスプレイ装置の制御方法を示すフローチャートである。
【発明を実施するための形態】
【００２９】
以下、添付図面を参照して本発明の好ましい実施形態に対して詳しく説明する。
【００３０】
図１は本発明の実施形態によるディスプレイ装置１００の構成を示すブロック図であり、図２は図１のディスプレイ部１３０の構成を示すブロック図である。
【００３１】
図１に示すように、ディスプレイ装置１００は外部の映像供給源（図示せず）から提供される映像信号を既設定された映像処理プロセスにしたがって処理して映像で表示する。
【００３２】
本実施形態でディスプレイ装置１００は放送局の送出装備から受信される放送信号／放送情報／放送データに基づく放送映像を表示するＴＶで具現される場合に関し説明する。しかし、本発明の思想がディスプレイ装置１００の具現例示に限られず、ディスプレイ装置１００はＴＶ以外にも映像を表示することができる多様な種類の具現例示、例えば、モニターなどにも適用されることができる。
【００３３】
また、ディスプレイ装置１００は表示可能な映像の種類が放送映像に限られず、例えば、ディスプレイ装置１００は多様な形式の映像供給源（図示せず）から受信される信号／データに基づく動画、停止映像、アプリケーション（ａｐｐｌｉｃａｔｉｏｎ）、ＯＳＤ（ｏｎ−ｓｃｒｅｅｎ  ｄｉｓｐｌａｙ）、多様な動作制御のためのＧＵＩ（ｇｒａｐｈｉｃ  ｕｓｅｒ  ｉｎｔｅｒｆａｃｅ、以下、ＵＩ（ｕｓｅｒ  ｉｎｔｅｒｆａｃｅ）とも言う）等の映像を表示することができる。
【００３４】
図１に示すように、ディスプレイ装置１００は映像信号を受信する映像受信部１１０と、映像受信部１１０に受信される映像信号を処理する映像処理部１２０と、映像処理部１２０により処理される映像信号を映像で表示するディスプレイ部１３０と、ユーザーの入力を受信するユーザー入力部１４０と、各種のデータが保存される保存部１５０と、ディスプレイ装置１００を制御する制御部１６０と、を含む。
【００３５】
映像受信部１１０は映像信号を受信して映像処理部１２０に伝達し、受信する映像信号の規格およびディスプレイ装置１００の具現形態に対応して多様な方式で具現されることができる。例えば、映像受信部１１０は放送局（図示せず）から送出されるＲＦ（ｒａｄｉｏ  ｆｒｅｑｕｅｎｃｙ）信号を無線で受信したり、コンポジット（ｃｏｍｐｏｓｉｔｅ）ビデオ、コンポーネント（ｃｏｍｐｏｎｅｎｔ）ビデオ、スーパービデオ（ｓｕｐｅｒ  ｖｉｄｅｏ）、ＳＣＡＲＴ（Ｓｙｎｄｉｃａｔ  ｄｅｓ  Ｃｏｎｔｒｕｃｔｅｕｒｓ  ｄ’Ａｐｐａｒｅｉｌｓ  Ｒａｄｉｏｒｅｃｅｐｔｅｕｒｓ  ｅｔ  
2014174548.tif 000003
ｖｉｓｅｕｒｓ）、ＨＤＭＩ（ｈｉｇｈ  ｄｅｆｉｎｉｔｉｏｎ  ｍｕｌｔｉｍｅｄｉａ  ｉｎｔｅｒｆａｃｅ（登録商標））規格などによる映像信号を有線で受信することができる。映像受信部１１０は映像信号が放送信号である場合、この放送信号をチャンネル別にチューニングするチューナー（ｔｕｎｅｒ）を含む。
【００３６】
また、映像信号は外部機器から入力可能であり、例えば、映像信号は、ＰＣ、ＡＶ機器、スマートホン、スマートパッドなどのような外部機器から入力されることができる。また、映像信号はインターネットなどのようなネットワークを通じて受信されるデータから起因したことも可能である。この場合、ディスプレイ装置１００は、図示されないが、ネットワークを通じて通信を行うネットワーク通信部をさらに含むことができる。また、映像信号はフラッシュメモリー、ハードディスクなどのような非揮発性の保存部１５０に保存されたデータから起因したことも可能である。保存部１５０はディスプレイ装置１００の内部または外部に設けられることができるし、外部に設けられる場合に保存部１５０が連結される連結部（図示せず）をさらに含むことができる。
【００３７】
映像処理部１２０は映像信号に対して既設定された多様な映像処理プロセスを行う。映像処理部１２０はこのようなプロセスを行った映像信号をディスプレイ部１３０に出力することによって、ディスプレイ部１３０に映像が表示されるようにする。
【００３８】
映像処理部１２０が行う映像処理プロセスの種類は限られず、例えば、多様な映像フォーマットに対応するデコーディング（ｄｅｃｏｄｉｎｇ）、デ−インタレーシング（ｄｅ−ｉｎｔｅｒｌａｃｉｎｇ）、フレームリフレッシュレート（ｆｒａｍｅ  ｒｅｆｒｅｓｈ  ｒａｔｅ）変換、スケーリング（ｓｃａｌｉｎｇ）、映像画質改善のためのノイズ減少（ｎｏｉｓｅ  ｒｅｄｕｃｔｉｏｎ）、ディテール強化（ｄｅｔａｉｌ  ｅｎｈａｎｃｅｍｅｎｔ）、ラインスキャニング（ｌｉｎｅ  ｓｃａｎｎｉｎｇ）等を含むことができる。本実施形態の映像処理部１２０は後述する光学シート（ｓ）による映像歪曲を補償する映像処理をさらに行うことができるし、このように補償する映像処理は光学シート（ｓ）を透過する映像信号の鮮明度の改善、輝度調節およびコントラスト調節の中で少なくとも一つを含むことができる。
【００３９】
映像処理部１２０はこのような各プロセスを独自に行うことができる個別的構成のグループで具現されたり、または色々な機能を統合したＳｏＣ（Ｓｙｓｔｅｍ−ｏｎ−Ｃｈｉｐ）で具現されることができる。
【００４０】
図１のように、本実施形態の映像処理部１２０はディスプレイ部１３０に付着され、（ｓ）の幅を有する光学シート１３８による映像歪曲を補償する映像補償部１２１を含むことができる。映像補償部１２１は後述する光学分析部１６１で分析された光学シート（ｓ）１３８による映像の拡張、輝度低下、画質低下などを補償することができる。本実施形態の映像処理部１２０は映像補償部１２１が映像拡張に対する補償を行うことができるように、映像信号に対するアップ／ダウン  スケーリング（ｕｐ／ｄｏｗｎ  ｓｃａｌｉｎｇ）を行うことができるように具現される。
【００４１】
ディスプレイ部１３０は映像処理部１２０により処理される映像信号に基づいて映像を表示する。ディスプレイ部１３０の具現方式は限定されず、平板ディスプレイ（ＦＰＤ：Ｆｌａｔ  Ｐａｎｅ  Ｄｉｓｐｌａｙ）として、例えば液晶（Ｌｉｑｕｉｄ  ｃｒｙｓｔａｌ）、プラズマ（ｐｌａｓｍａ）、発光ダイオード（ＬＥＤ：ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｉｔｔｉｎｇ  ｄｉｏｄｅ）、面伝導電子銃 （ｓｕｒｆａｃｅ−ｃｏｎｄｕｃｔｉｏｎ  ｅｌｅｃｔｒｏｎ−ｅｍｉｔｔｅｒ）、炭素ナノチューブ（ｃａｒｂｏｎ  ｎａｎｏ−ｔｕｂｅ）、ナノクリスタル（ｎａｎｏ−ｃｒｙｓｔａｌ）等の多様なディスプレイ方式で具現されることができる。
【００４２】
ディスプレイ部１３０はその具現方式にしたがって付加的な構成を追加的に含むことができる。具体的に、ディスプレイ部１３０は、図２に示すように、ディスプレイパネル１３１と、パネル１３１を駆動させる駆動部１３２と、ディスプレイパネル１３１の前端に結合されて駆動部１３２を制御し画質を改善するタイミングコントローラー（以下、Ｔ−ｃｏｎとも言う）（図示せず）と、を含む。ここで、例えば、ディスプレイ部１３０が液晶または発光ダイオード方式で具現された場合、パネル１３１に光を供給するバックライトユニット（図示せず）をさらに含むことができる。
【００４３】
パネル１３１は映像処理部１２０で処理された映像信号が映像で表示される画面再生領域１３３（以下、再生領域とも言う）と、映像が表示されない画面非再生領域（以下、非再生領域とも言う）と、を含む。非再生領域１３５は再生領域１３３の外側に設けられたブラックマトリックス（Ｂｌａｃｋ  Ｍａｔｒｉｘ）領域（以下、ＢＭ領域とも言う、１３５）と、ディスプレイ部１３０の縁部（フレーム部）に位置するベゼル（Ｂｅｚｅｌ）領域１３７と、を含む。
【００４４】
図３および図４は一般的なディスプレイ装置の非再生領域の構造を説明するための図面である。図３および図４に示すように、ディスプレイ部１３０のパネル１３１には映像が表示される画素領域として（ａ）の幅を有する再生領域１３３と、再生領域１３３の外側フレームに従って位置し（ｂ）の幅を有する画素領域であるＢＭ領域１３５と、が含まれる。ＢＭ領域１３５は所定の画素数に対応する幅（ｂ）を有することができるし、（例えば、３ピクセル）、ＢＭ領域１３５の画素はブラックで表示される。ＢＭ領域１３５には駆動部１３２を含む回路基板が位置することができる。したがって、図４のように、映像が表示される状態で、（ａ）の幅を有する再生領域１３３と（ｂ）の幅を有するＢＭ領域１３５の境界が明確に区分されることが分かる。
【００４５】
また、ＢＭ領域１３５の外側の縁部、すなわち、ディスプレイ部１３０の縁部には（ｃ）の幅を有するベゼル領域１３７が位置する。ベゼル領域１３７はパネル１３１、ＢＬＵなどを固定する機構的な構成としてのベゼルが位置する領域になる。ベゼル領域１３７とＢＭ領域１３５の一部はユーザーにベゼルとして認識されることができるし、このような非再生領域は、図４に示すように、映像再生時画面を分離する境界と認識されることができる。
【００４６】
本実施形態のディスプレイ装置１００はディスプレイ部１３０の非再生領域に対応して設けられる光学シート（ｓ）１３８をさらに含む。
【００４７】
図５および図６は本発明の一実施形態によって光学シート（ｓ）１３８が含まれたディスプレイ装置１００を説明するための図である。図７は光学シート（ｓ）１３８によって光が拡散する原理を説明するための図である。
【００４８】
本実施形態のディスプレイ装置１００はディスプレイ部１３０の正面の一部に光学シート（ｓ）１３８（または、光学フィルム）が付着されることができる。ここで、図５ないし図７に示すように、光学シート（ｓ）１３８はディスプレイ部１３０の正面の外側、すなわち、フレームに従って付着されることができるし、その幅（ｓ）は非再生領域、すなわち、ＢＭ領域（ｂ）１３５とベゼル領域（ｃ）１３７の幅を合わせた値（ｂ＋ｃ）より広く構成され、再生領域（ａ）１３３の光が光学シート（ｓ）１３８に入射可能に設計されることができる。ここで、光学シート（ｓ）１３８が再生領域（ａ）１３３と重なる幅は再生領域（ａ）１３３から光学シート（ｓ）１３８に十分な光が入射および透過されるように設計されることが好ましい。
【００４９】
一方、図５ないし図７に図示された本発明の実施形態では、ディスプレイ部１３０の正面（例えば、ディスプレイの画面側）の一部に光学シート（ｓ）１３８が付着される場合を例えて示すが、本発明はディスプレイ部１３０の正面の全部に光学シート（ｓ）１３８が付着される場合も含む。このように、ディスプレイ部１３０の正面の全部に光学シート（ｓ）１３８が付着された場合、パターンなどの構成を利用して光学シート（ｓ）１３８に透過された光の再生領域（ａ）１３３への拡散は最小化し、非再生領域に十分に拡散するようにすることが望ましいだろう。
【００５０】
光学シート（ｓ）１３８は再生領域（ａ）１３３から透過される光を拡散させて、非再生領域を視覚的に隠す。すなわち、図５に示すように、ディスプレイ部１３０の正面に光学シート（ｓ）１３８が付着され、図６および図７に示すように映像が表示されれば、再生領域（ａ）１３３の光（例えば、再生領域（ａ）１３３とＢＭ領域（ｂ）１３５の境界付近の光）が光学シート（ｓ）１３８に入射および透過する。透過される光はディスプレイ部１３０の正面のベゼル領域（ｃ）１３７の上に拡散して放射出力される。このために、光学シート（ｓ）１３８は光の入射部分から遠く離れたディスプレイ部１３０のフレーム部分まで十分な光が放射されることができる透過率（例えば、３０％）を有することができる。
【００５１】
したがって、図６に示すようにＢＭ領域（ｂ）１３５およびベゼル領域（ｃ）１３７が視覚的に隠される効果が発生し、ユーザーは映像を視聴しながら、非再生領域により映像が断絶されることがないので没入度が高くなる。
【００５２】
一方、本発明はベゼルの幅、すなわち、ベゼル領域（ｃ）１３７を狭く設計したり、ディスプレイ装置１００の正面でベゼル領域（ｃ）１３７が見えないように設計される場合にも適用することができる。
【００５３】
本発明の光学シート（ｓ）はプリズムシート（ｓ’）１３９で具現されることができる。図８は本発明の光学シートがプリズムシート（ｓ’）１３９で具現される例を示す図面である。
【００５４】
図８に示すように、光学シートが、（ｓ’）の幅を有するプリズムシート１３９である場合、その断面が三角形であることができる。プリズムシート（ｓ’）１３９は再生領域（ａ）１３３から入射された光を透過および拡散させてディスプレイ部１３０の正面に放射されるようにし、再生領域（ａ）１３３、すなわち、光が入射される部分から遠く離れたフレーム側に光を集光させてプリズムシート１３９が付着されたすべての領域で均一な光が放射されるようにする。
【００５５】
一方、図７および図８に示す実施形態では光学シート（ｓ、ｓ’）１３８、１３９が再生領域（ａ）１３３から入射された光を透過および拡散する場合を例えて示すが、本発明は光学シート（ｓ、ｓ’）１３８、１３９がブラックマトリックス領域（ｂ）１３５の光を透過および拡散するように具現される場合も含む。光学シート（ｓ、ｓ’）１３８、１３９にＢＭ領域（ｂ）１３５の光が入射される場合、図２の駆動部１３２は再生領域（ａ）１３３だけでなくＢＭ領域（ｂ）１３５も駆動することができる。
【００５６】
図９は他の実施形態のディスプレイ部１３０の構成を示すブロック図である。図９に示すように、光学シート（ｓ、ｓ’）１３８、１３９にＢＭ領域（ｂ）１３５の光が入射される場合、ディスプレイ部１３０はＢＭ領域（ｂ）１３５を駆動する別途の駆動部１３４をさらに含むことができる。図９ではＢＭ領域（ｂ）１３５を駆動する駆動部を第２駆動部１３４と、再生領域（ａ）１３３を駆動する第１駆動部１３２（図２の駆動部）と区分して図示している。
【００５７】
図９に示す実施形態は、図２の実施形態と比較して、ディスプレイ部１３０ＢＭ領域（ｂ）１３５を駆動する第２駆動部１３４をさらに含むことが特徴である。したがって、第２駆動部１３４を除いた構成要素は図２の実施形態と同一の図面符号および同一の部材名を使用し、重複説明を避けるためにこの部分に対しては再説明を省略することにする。また、前述した図３ないし図８および後述する図１０ないし図１４は、図２の実施形態のディスプレイ装置１００と図９の実施形態のディスプレイ装置１００に共に適用される。
【００５８】
一方、光学シート（ｓ）１３８の内部には透過される光をガイドするパターン（ｐ）が形成されることができる。
【００５９】
図１０は本発明の一実施形態によって光学シート（ｓ）１３８にパターン（ｐ）が形成された例を示す図である。図１０に示すように、光学シート（ｓ）１３８の内部に形成されたパターン（ｐ）は光が入射される領域で凝集度が低く、ディスプレイ部１３０のフレームで凝集度が高く形成されることができる。したがって、再生領域（ａ）１３３またはＢＭ領域（ｂ）１３５の光が入射部分から遠く離れた光学シート（ｓ）１３８のフレーム部分まで充分に拡散されて、光学シート（ｓ）１３８全体でディスプレイ部１３０の正面に均一な光が放射されることができる。
【００６０】
図１０に示すように、光を拡散させる拡散粒子のパターンが光学シート１３８内に形成されることができるが、本発明はこれに限定されない。例えば、再生領域１３３から入射される光を拡散させることができるどんなパターンでも光学シート１３８に使用することができる。
【００６１】
図１のユーザー入力部１４０はユーザーの操作および入力によって、既設定された多様な制御コマンドまたは限定されない情報を制御部１６０に伝達する。ユーザー入力部１４０はディスプレイ装置１００の外側に設けられたメニューキー（ｍｅｎｕ−ｋｅｙ）のようなボタンを含む操作パネル（ｐａｎｅｌ、図示せず）や、ディスプレイ装置１００と分離および離隔されたリモートコントローラー（ｒｅｍｏｔｅ  ｃｏｎｔｒｏｌｌｅｒ、図示せず）等で具現される。ユーザー入力部１４０がリモートコントローラーで具現される場合、ユーザー入力部１４０が制御部１６０にユーザーの入力を送信する方式には制限がなくて、無線通信を使用することができる。無線通信は赤外線通信、ＲＦ通信などを含む。この場合、ディスプレイ装置１００は、図示されないが、ユーザー入力部１４０から受信されるユーザーの入力に対応する信号を受信してこれを制御部１６０に伝達する通信モジュールをさらに含むことができる。
【００６２】
保存部１５０は制御部１６０の制御にしたがって限定されないデータが保存される。保存部１５０はフラッシュメモリー（ｆｌａｓｈ−ｍｅｍｏｒｙ）、ハードディスクドライブ（ｈａｒｄ−ｄｉｓｃ  ｄｒｉｖｅ）のような非揮発性保存媒体で具現される。保存部１５０は制御部１６０によりアクセスされ、制御部１６０によるデータの読取／記録／修正／削除／更新などが行われる。
【００６３】
保存部１５０に保存されるデータは、例えば、ディスプレイ装置１００の駆動のための運営体制をはじめとして、この運営体制上で実行可能な多様なアプリケーション、映像データ、プガデータなどを含む。本実施形態の保存部１５０には後述する映像信号の補償のためのルックアップテーブル（ＬＵＴ）すなわち、情報テーブル１５１がさらに保存されることができる。
【００６４】
制御部１６０はディスプレイ装置１００の多様な構成に対する制御動作を行う。例えば、制御部１６０は映像処理部１２０が処理する映像処理プロセスの進行、ユーザー入力部１４０からのコマンドに対する対応制御動作を行うことによって、ディスプレイ装置１００の全体の動作を制御する。
【００６５】
本実施形態の制御部１６０はディスプレイ部１３０に付着した光学シート（ｓ）１３８による映像歪曲を補償する映像補償処理をさらに行うように映像処理部１２０を制御することができる。
【００６６】
図１１ないし図１５は本発明の一実施形態による映像補償の過程を説明するための図面であり、図１６は本発明の一実施形態によってディスプレイ部に表示される映像の補償処理に対する前後の映像を各々示す図面である。
【００６７】
例えば、図７に示すようにディスプレイ部１３０の正面の一部としてディスプレイ部１３０のフレームの近所に光学シート（ｓ）１３８が付着される場合、フィルムが付着された領域を例えば、画面の縁部（フレーム部）で映像の拡張（ｅｘｐａｎｓｉｏｎ）、輝度低下、画質低下などの映像歪曲が発生することができる。また、フィルムが付着される領域と付着しなかった領域の境界部分の映像が薄れたり（Ｂｌｕｒ）、広がったように見える等の映像歪曲が発生することができる。また、図８のように光学シート（ｓ）をプリズム
シート（ｓ’）１３９で具現したり、図１０のようにパターン（ｐ）を形成しても、光学シート（ｓ）領域の一部で光がたくさん広がって、全体領域で多少の輝度差が発生することができる。
【００６８】
具体的に、図１１に示すように、光学シート（ｓ）１３８を通過した投影映像１３は、入力映像１１の少なくとも一部が原本に比べて拡大されて映像の位置別比率が歪曲されて表示されることができる。
【００６９】
ディスプレイ装置１００は入力された映像信号を映像処理部１２０でデコーディングし、画質改善のための映像処理を経て、タイミングコントローラー（Ｔ−ｃｏｎ）で所定のタイミング（Ｔｉｍｉｎｇ）に合わせて映像を出力してパネル１３１の映像表示領域に対応する映像を表示する。本実施形態では通常の画質改善のための映像信号の処理後にタイミングコントローラー（Ｔ−ｃｏｎ）に映像信号が伝達される前に光学シート（ｓ）１３８によって予測される映像歪曲を補償する映像処理ブロックとして映像補償部１３１を追加して、光学シート（ｓ）１３８による歪曲を相殺する方式で映像歪曲を補償する。
【００７０】
本実施形態の制御部１６０は光学シート（ｓ）１３８の光学特性（例えば、透過率）を利用して映像信号の鮮明度（ｓｈａｒｐｎｅｓｓ）改善、輝度（明暗）調節、コントラスト（対比、ｃｏｎｔｒａｓｔ）調節などによる映像補償を行うように映像補償部１２１を制御する。
【００７１】
映像補償部１２１は光学シート（ｓ）１３８の光学変換特性（またはフィルム特性）を反映した補償映像１２を生成する。補償映像１２は、図１１の（ｂ）に示すように、光学シート（ｓ）１３８による映像の拡張の逆変換に対応するように映像のサイズ（ｓｉｚｅ）を縮小（ｃｏｍｐｒｅｓｓｉｏｎ）、すなわち、ダウンスケーリング（ｄｏｗｎ  ｓｃａｌｉｎｇ）して生成されることができる。補償映像１２は光学シート（ｓ）１３８透過後にディスプレイ部１３０に表示される映像の画面を予測して全体画面の比率が一定に維持されるように生成される。映像補償部１２１は映像の縮小だけでなく、輝度調節、コントラスト調節などをさらに行って、補償映像１２を生成することができる。
【００７２】
このために、図１２に示すように制御部１６０は光学的な映像歪曲の特性、例えば、映像の拡張、輝度低下、画質低下の中で少なくとも一つを分析する光学分析部１６１を含む。光学分析部１６１の分析結果は映像補償部１２１に伝達されて、映像補償が行われるようにする。
【００７３】
光学分析部１６１は光学シート（ｓ）１３８の構造設計の際に、フィルム付着により予想される映像歪曲を予想し、その歪曲を逆補償した補償映像１２を生成する。これによって、図１１の（ｂ）のように補償映像１２が光学シート（ｓ）１３８を透過した最終の投影映像１３が歪曲が発生しない原本の入力映像１１と一致する自然な画面で具現されることができる。
【００７４】
具体的に、光学分析部１６１は光学シート（ｓ）１３８による映像歪曲特性、すなわち、光学シート（ｓ）１３８を透過する光の特性を分析し、分析結果に基づいて該当領域の映像を保存部１５０に保存された情報テーブル（または、ルックアップテーブル（ＬＵＴ）１５１）を参照して、映像信号を逆変換する方式で映像補償処理を行うように映像補償部１２１を制御することができる。このために、光学分析部１６１は例えば、センサー（図示せず）等を利用して光学シート（ｓ）１３８を透過される光の特性や、映像歪曲程度を測定し、測定結果をｎＸｎマトリックス（ｍａｔｒｉｘ）形式の情報テーブル１５１であらかじめ保存することができる。
【００７５】
光学シート（ｓ）１３８による映像の拡張率（ｅｘｐａｎｓｉｏｎ）は光学フィルムの構造と特性に従って可変されることができる。したがって、本実施形態のディスプレイ装置１００はフィルムによる映像の拡張程度を一般化したｎＸｎマトリックス（Ｍａｔｒｉｘ）形式の情報テーブル１５１を保存部１５０にあらかじめ保存し、光学分析部１６１は既保存された情報テーブル１５１の逆マトリックス（ｉｎｖｅｒｓｅ  ｍａｔｒｉｘ、（Ｍａｔｒｉｘ）-１）を利用して、フィルムによる拡張による映像歪曲を逆補償する。
【００７６】
情報テーブル１５１には光学シート（ｓ）１３８の透過率、コントラスト（ｃｏｎｔｒａｓｔ、ＣＲ）の情報がさらに保存され、光学分析部１６１は情報テーブル１５１を利用して光学シート（ｓ）１３８を透過した映像の輝度および画質をさらに補償する。これに対する演算を数式で表現すれば次のようである。
【００７７】
出力映像＝（（Ｍａｔｒｉｘ）-１）×入力映像×ａ×ｂ      （１）
ここで、（Ｍａｔｒｉｘ）-１は映像拡張による歪曲補償マトリックスの逆マトリックス、ａは輝度補償係数、ｂは画質補償係数である。
【００７８】
したがって、本実施形態のディスプレイ装置１００では、図１４に示すように、光学シート（ｓ）１３８により映像が拡張（ｅｘｐａｎｓｉｏｎ）されるなどの歪曲が発生しても、図１５のように明るさを増加させるなどの輝度および／または画質補償を行って（（１）Ｂｒｉｇｈｔｎｅｓｓ↑）、映像拡張を逆補償して（（２）ｃｏｍｐｒｅｓｓｉｏｎ、（Ｍａｔｒｉｘ）-１、光学シート（ｓ）１３８による映像歪曲を補償できるようになる）。このように、映像補償処理が行われると、図１６に示すように、光学シート（ｓ）１３８が付着された領域とそうではない領域との間の映像歪曲や輝度差が最小化されて、ユーザーが視覚的な不便を感じられない。
【００７９】
本実施形態の映像補償部１２１は全体入力映像の中で光学シート（ｓ）１３８が付着された領域に対応する映像を選択的に補償処理することができる。ここで、映像補償部１２１は自然な映像画面が表示されるように、光学シート（ｓ）１３８付着領域およびそれに隣接した既設定された一部領域（例えば、隣接した５ピクセルまで）に対して映像補償を行うように具現することができる。
【００８０】
一方、前記の本発明の実施形態では再生領域１３３に表示される入力映像（以下、第１映像とも言う）をＢＭ領域１３５に表示する実施形態に対して説明したが、本発明は第１映像と異なる第２映像をＢＭ領域１３５に表示するように具現される場合を含む。このようにＢＭ領域１３５に別途の映像が表示される場合、映像処理部１２０は第１および第２映像を再生領域１３３およびＢＭ領域１３５に表示されるように各々処理することができるし、映像補償部１２１は光学分析部１６１の制御によって第２映像に対する映像補償を行うことができる。
【００８１】
以下、本発明の実施形態によるディスプレイ装置１００の制御方法に対して図面を参照して説明する。
【００８２】
図１７は本発明の一実施形態によるディスプレイ装置１００の制御方法を示すフローチャートである。図１７に示すように、ディスプレイ装置１００は映像受信部１１０を通じて外部から映像信号を受信することができる（Ｓ３０１）。
【００８３】
映像処理部１２０は段階Ｓ３０１で受信される映像信号をディスプレイ部１３０に表示可能に処理する（Ｓ３０３）。
【００８４】
ここで、制御部１６０の光学分析部１６１は段階Ｓ３０３で処理される映像信号に対して光学シート（ｓ）１３８による映像歪曲または光学シート（ｓ）１３８に透過される光の特性を分析することができる（Ｓ３０５）。例えば、光学分析部１６１は光学シート（ｓ）１３８による映像の拡張、輝度低下、画質低下の中で少なくとも一つを分析することができる。
【００８５】
映像補償部１２１は段階Ｓ３０５の分析結果に基づいて、段階Ｓ３０３で処理される映像信号に対する映像補償をさらに行う（Ｓ３０７）。ここで、光学分析部１６１は段階Ｓ３０５の分析結果に対応して保存部１５０に保存された情報テーブル１５１を利用して映像補償処理を行うように映像補償部１２１を制御することができる。例えば、光学分析部１６１は情報テーブル１５１に保存されたマトリックスの逆変換（（Ｍａｔｒｉｘ）-１）、輝度補償係数、画質補償係数などを利用して映像補償部１２１の補償処理を制御することができるし、補償された映像信号は鮮明度の改善、輝度調節、コントラスト調節などによって生成されることができる。
【００８６】
そして、制御部１６０は段階Ｓ３０３ないしＳ３０７で処理された映像信号に対応して、ＢＭ領域１３５とベゼル領域１３７を含む非再生領域を視覚的に隠すように映像をディスプレイ部１３０に表示する(Ｓ３０９)。
【００８７】
このように、本発明の実施形態によれば、ディスプレイ装置で光学シートを利用して、ブラックマトリックス領域とベゼル領域を含む非再生領域を視覚的に隠したベゼルリース（Ｂｅｚｅｌ−ｌｅｓｓ）ディスプレイ装置を具現することによって、映像視聴の際に画面に対するユーザーの没入度を最大化し、デザイン改善を通じて、ベゼル部分に対するデザイン自由度を高めて、製品力をさらに強化することができる。特に、複数のディスプレイ装置を利用するＬＦＤ（Ｌａｒｇｅ  Ｆｏｒｍａｔ  Ｄｉｓｐｌａｙ）環境での映像断絶を最小化して、映像メッセージ伝達効果をさらに高めることができる。
【００８８】
また、光学シートで光が均一に拡散および出力されるようにし、光学シートによる映像歪曲を補償して、映像視聴にあってユーザーの疲労度を最小化し、高画質の映像をユーザーに提供することができる。
【００８９】
以上、好ましい実施形態を通じて本発明に対して詳しく説明したが、本発明はこれに限定されず、特許請求の範囲内で多様に実施されることができる。
【符号の説明】
【００９０】
１００    ディスプレイ装置
１１０    映像受信部
１２０    映像処理部
１２１    映像補償部
１３０    ディスプレイ部
１３１    パネル
１３２、１３４    駆動部
１３３    再生領域
１３５    ＢＭ領域
１３７    ベゼル領域
１３８、１３９    光学シート
１４０    ユーザー入力部
１５０    保存部
１５１    情報テーブル
１６０    制御部
１６１    光学分析部
【図１】
2014174548.tif 000004
【図２】
2014174548.tif 000005
【図４】
2014174548.tif 000006
【図５】
2014174548.tif 000007
【図６】
2014174548.tif 000008
【図７】
2014174548.tif 000009
【図８】
2014174548.tif 000010
【図９】
2014174548.tif 000011
【図１０】
2014174548.tif 000012
【図１１】
2014174548.tif 000013
【図１２】
2014174548.tif 000014
【図１３】
2014174548.tif 000015
【図１６】
2014174548.tif 000016
【図１７】
2014174548.tif 000017
【図３】
2014174548.tif 000018
【図１４】
2014174548.tif 000019
【図１５】
2014174548.tif 000020